(57)【要約】【課題】  合わせ部分での変形や割れを抑制しながら、魚が掛かった場合に滑らかな曲がりを生じながら、その魚の引きにしなやかに耐えることのできる穂先竿を提供する点にある。【解決手段】  メインパターン３で構成される内外側層と重合される状態で配置される複数の補強パターン５を配置するとともに、補強パターン５の少なくとも一つを内外側層の中間に配置し、補強パターン５を、竿軸線Ｘに対して所定の傾斜角θに沿って引き揃え配置された強化繊維ｃ群を有するプリプレグと、プリプレグの強化繊維ｃ群と竿軸線Ｘに対して対称となる状態に引き揃え配置された強化繊維ｃ群を有するプリプレグとを重ね合わせて構成してある。【選択図】        図２
2006288345.tif 000002
【特許請求の範囲】
【請求項１】
竿先側竿体の竿尻端部外周面と竿尻側竿体の竿先端部内周面とを互いに圧接する状態で嵌合させて、竿先側竿体を伸長状態に保持すべく構成してある釣り竿であって、
前記竿尻端部又は前記竿先端部のうちの少なくとも一方の前記竿尻端部に、前記竿先側竿体を構成する竿体の全長に相当する長さを有するメインパターンで構成される内外側層と重合される状態で配置される複数の補強パターンを配置するとともに、前記補強パターンの少なくとも一つを前記内外側層の中間に配置し、前記補強パターンを、前記メインパターンに比べて竿軸線方向に沿った長さを短く裁断したものに構成するとともに、竿軸線に対して所定の傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある釣り竿。
【請求項２】
前記内側層を、強化繊維群を竿の円周方向に沿って引き揃えたプリプレグを竿体の全長に相当する長さの第１メインパターンと、強化繊維群を竿の軸線方向に沿って引き揃えたプリプレグを竿体の全長に相当する長さで前記第１メインパターンより円周方向に沿った大きな幅を備える第２メインパターンとを重ね合わせ、前記第１メインパターンよりも更に内側に口巻き用補強パターンを配置し、前記口巻き用補強パターンを、竿軸線に対して第４傾斜角に沿って引き揃え配置された強化繊維群を有するプリプレグと、前記プリプレグの強化繊維群と前記竿軸線に対して対称となる状態に引き揃え配置された強化繊維群を有するプリプレグを重ね合わせて構成し、前記第２メインパターンの外側でかつ前記外側層の内側に前記複数の補強パターンの内の第１補強パターンを配置し、前記第１補強パターンを、竿軸線に対して第１傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある請求項１記載の釣り竿
【請求項３】
前記内側層と外側層との間に位置する中間層を、竿体の全長に相当する長さの第３メインパターンで構成するとともに、前記第３メインパターンを、強化繊維群を竿の軸線方向に沿って引き揃えたプリプレグを裁断して構成し、前記中間層の外側でかつ前記外側層の内側に前記複数の補強パターンの内の第２補強パターンを配置し、前記第２補強パターンを、竿軸線に対して第２傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある請求項1または２記載の釣り竿。
【請求項４】
前記外側層を、強化繊維群を竿の円周方向に沿って引き揃えたプリプレグを細幅のテープ状に裁断して構成したスリットテープを竿体の全長に相当する長さに亘って螺旋状に巻回して構成し、前記外側層の外側に前記複数の補強パターンの内の第３補強パターンを配置し、前記第３補強パターンを、竿軸線に対して第３傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成し、前記第３補強パターンの外側に前記複数の補強パターンの内の第４補強パターンを配置し、前記第４補強パターンを、竿の周方向に強化繊維群を引き揃えたプリプレグと柔軟性繊維をクロス状に編み込んだプリプレグとを重ね合わせて形成し、前記柔軟性繊維をクロス状に編み込んだプリプレグにおいては、前記柔軟性繊維を樹脂層表面より突出させて設けてある請求項３記載の釣り竿用竿体。
【請求項５】
強化繊維群を竿の円周方向に沿って引き揃えたプリプレグを竿体の全長に相当する長さの第１メインパターンを、強化繊維群を竿の軸線方向に沿って引き揃えたプリプレグを竿体の全長に相当する長さで前記第１メインパターンの円周方向に沿った幅より大きな幅の第２メインパターンの上に重ね合わせ配置するとともに、前記第１メインパターンの竿先端部の内周面側に請求項２記載の口巻き用補強パターンを重ね合わせ、前記第２メインパターンの竿尻端部の外周面に請求項２記載の第１補強パターンを重ね合わせて配置し、前記した口巻き補強パターン、前記第１メインパターン、前記第２メインパターン、前記第１補強パターンを一体的に重合した重合体を前記口巻き補強パターンが最内側に位置する順番でマンドレルに巻回する第１工程と、請求項３記載の第３メインパターンを第２メインパターンと第１補強パターンとに亘って巻回するとともにその巻回した第３メインパターンの竿尻端部分に請求項３記載の第２補強パターンを巻回し、前記第３メインパターンと前記第２補強パターンと一体的に重合した重合体を第３メインパターンが内側に位置する状態で巻回する第２工程と、請求項４記載の前記スリットテープを前記第３メインパターンと前記第２補強パターンとに亘って巻回する第３工程と、請求項４記載の第３補強パターンを前記第３メインパターンの竿尻端部に巻回する第４工程と、請求項４記載の第４補強パターンを前記第３補強パターンの竿尻端部に巻回する第５工程とからなる釣り竿の製造方法。
【発明の詳細な説明】
【技術分野】
【０００１】
本発明は、竿先側竿体の竿尻端部外周面と竿尻側竿体の竿先端部内周面とを互いに圧接する状態で嵌合させて、竿先側竿体を伸長状態に保持すべく構成してある釣り竿に関する。
【背景技術】
【０００２】
釣り竿用の竿体は、炭素繊維等の強化繊維を引き揃えて、その引き揃え強化繊維にエポキシ等の樹脂を含浸させて形成したプリプレグシートを、所定のテーパ形状をしたマンドレルに巻回し、その巻回した筒状のものを焼成して形成されている。
そして、竿先側竿体の竿尻端部を竿尻側竿体の竿先側端部内に圧接させて竿先側竿体の抜け止め機能を有する合わせ部を形成するものであるが、竿先側竿体の竿尻端部等に荷重が集中することになるので、この部分にプリプレグを竿体の全長より短く裁断した補強パターンを巻きつけて強度を向上する構成を採っていた。
この補強パターンは、竿の軸線方向に強化繊維を引き揃えたもの、或るいは、竿の円周方向に強化繊維を引き揃えたものに樹脂を含浸させて形成したプリプレグで構成して設けたものが一般的である。
しかし、このような補強パターンを施した合わせ部であっても、釣り操作を行う状態で合わせ部に掛かる荷重は単純に下向き方向に作用するだけではなく、斜め方向に作用する力も加わるところから、この合わせ部において変形が起こるために、竿の剛性が低下し、魚の引きに耐えて溜めを作る機能や釣り上げる際の竿の腰の強さ等が低下して、釣り時における自由な操作性を欠いていた。
一方、補強パターンとして、竿の軸線方向に対して強化繊維の方向を傾斜させた状態に引き揃えたプリプレグを裁断して使用するものがある（特許文献１参照）。
【０００３】
【特許文献１】特開２０００−２３６７８２号（段落番号〔００１４〕〔００１７〕、及び、図１、図２）
【発明の開示】
【発明が解決しようとする課題】
【０００４】
上記した補強パターンは、竿先側竿体の竿尻端部における外周面に、また、竿尻側竿体の竿先端部の内周面に、設けられていた。この場合には、補強パターンが竿先側竿体の竿尻端部における外周面と、竿尻側竿体の竿先端部の内周面との、互いに接触する部分に設けられているために、その接触部分に作用する接触圧力に対しては対抗力を発揮するものであるが、その接触面に作用する接触圧力や剪断力は合わせ部における外周面側の外側層と内周面側の内側層との間に位置する中間層にも及ぶところとなる。
したがって、その中間層においては強化繊維を竿の軸線方向や円周方向に引き揃えただけのプリプレグで形成されているので、竿の軸線に対して傾斜する方向に作用する剪断力に対しては、十分には対抗できず、強度面で十分でないところがあった。つまり、強化繊維の張設方向に対して傾斜する方向から剪断力等が作用すると、強化繊維が十分に剪断力に対抗できないところから、樹脂の内部で結晶の滑り等が発生し、樹脂層間剥離や樹脂と強化繊維との間の剥離等が起こって、合わせ部における変形が生じる。
そうすると、竿先側竿体の竿尻端部等の合わせ部分に塑性変形が起ったり、強化繊維の剥離や竿体を構成する内側層と外側層等との各層同士のズレ等が発生する等の問題があった。
【０００５】
本発明の目的は、合わせ部分での塑性変形や強化繊維の剥離等を抑制しながら、魚が掛かった場合に滑らかな曲がりを生じながら、その魚の引きにしなやかに耐えることのできる釣り竿の竿体を提供する点にある。
【課題を解決するための手段】
【０００６】
〔構成〕
請求項１に係る発明の特徴構成は、前記竿尻端部又は前記竿先端部のうちの少なくとも一方の前記竿尻端部に、前記竿先側竿体を構成する竿体の全長に相当する長さを有するメインパターンで構成される内外側層と重合される状態で配置される複数の補強パターンを配置するとともに、前記補強パターンの少なくとも一つを前記内外側層の中間に配置し、前記補強パターンを、前記メインパターンに比べて竿軸線方向に沿った長さを短く裁断したものに構成するとともに、竿軸線に対して所定の傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある点にあり、その作用効果は次の通りである。
【０００７】
〔作用〕
つまり、強化繊維群を竿軸線に対して傾斜する状態でかつ互いに竿軸線に対して対称に配置したプリプレグ同士を重ね合わせた複数の補強パターンを竿尻端部に配置するとともに、その内の少なくとも一つを内側層と外側層との間に配置することによって、内側層と外側層との間に作用する剪断力に対して強化繊維群が対抗力を発揮する。これによって、樹脂層に作用する剪断力を緩和でき、樹脂と強化繊維との剥離等を阻止できる。
しかも、補強パターンは複数設けてあるので、内外層の間の複数段階において補強パターンの機能が発揮され、各段階における剪断力による変形を抑制できる。
前記竿先側竿体の竿尻端部外周面と竿尻側竿体の竿先端部内周面とが圧接する合わせ部分に作用する剪断力に対しても中間層に位置する複数の補強パターンに分担することができるので、それらが協働して対抗力を発揮するところから、大きな塑性変形等が伝播することを阻止することができ、外側層と内側層との間の樹脂間に剥離が起こることを阻止できる。
【０００８】
〔効果〕
この結果、合わせ部分での塑性変形や強化繊維の剥離等が抑制できるとともに、腰の強い竿を提供できるに至った。
【０００９】
請求項２に係る発明の特徴構成は、前記内側層を、強化繊維群を竿の円周方向に沿って引き揃えたプリプレグを竿体の全長に相当する長さの第１メインパターンと、強化繊維群を竿の軸線方向に沿って引き揃えたプリプレグを竿体の全長に相当する長さで前記第１メインパターンより円周方向に沿った大きな幅を備える第２メインパターンとを重ね合わせ、前記第１メインパターンよりも更に内側に口巻き用補強パターンを配置し、前記口巻き用補強パターンを、竿軸線に対して第４傾斜角に沿って引き揃え配置された強化繊維群を有するプリプレグと、前記プリプレグの強化繊維群と前記竿軸線に対して対称となる状態に引き揃え配置された強化繊維群を有するプリプレグを重ね合わせて構成し、前記第２メインパターンの外側でかつ前記外側層の内側に前記複数の補強パターンの内の第１補強パターンを配置し、前記第１補強パターンを、竿軸線に対して第１傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある点にあり、その作用効果は次の通りである。
【００１０】
〔作用効果〕
請求項１に係る発明に対する作用効果を奏するとともに、次ぎのような作用効果を奏する。
つまり、竿先側竿体の竿尻端部に直接接触する竿尻側竿体の竿先端部の内周面に口巻き用補強パターンを設けてある。この構成によって、前記竿尻端部より受ける剪断力に対して口巻き用補強パターンの傾斜姿勢に配置された強化繊維が対抗力を発揮する。
これによって、竿先端部の塑性変形や割れの発生等を阻止できる。
また、メインパターンの構成としては、周方向に強化繊維を配置したプリプレグを所定形状に裁断した第１メインパターンを内側にし、竿軸線方向に強化繊維を配置したプリプレグを所定形状に裁断した第２メインパターンを外側に位置させて重ね合わせているので、これらのメインパターンで竿体を楕円状に変形させる荷重に対しては内側の第1メインパターンにおける強化繊維で対抗力を発揮させ、竿の軸線方向に作用する引張力に対しては外側の第２メインパターンの竿軸線方向に配置した強化繊維で対抗力を発揮させて竿の内側においても、竿の円周方向と竿の軸線方向のいずれの方向に作用する力に対しても対抗力を有するものになる。
しかも、メインパターンの竿先端部と竿尻端部との両端部には、強化繊維が竿の軸線方向に対して傾斜する状態で配置されたプリプレグからなる第1補強パターンが配置されているので、竿先端部と竿尻端部とにおいては二つのメインパターンとこの第１補強パターンとが重ね合わされた状態になっている。したがった、この竿先端部と竿尻端部では強化繊維の方向が、竿軸線方向、竿軸線方向に直交する円周方向、竿軸線方向に傾斜する交差方向となっているので、曲げ力や剪断力、引張力等の多方位荷重に対する対抗力を高めることができる。
このように、内側層部分においても、二つのメインパターンと口巻き補強パターン、竿尻側の第１補強パターンとを重合させた構成によって、内側層単独でも多方向からの荷重に対する対抗力を高めることができた。
【００１１】
請求項３に係る発明の特徴構成は、前記内側層と外側層との間に位置する中間層を、竿体の全長に相当する長さの第３メインパターンで構成するとともに、前記第３メインパターンを、強化繊維群を竿の軸線方向に沿って引き揃えたプリプレグを裁断して構成し、前記中間層の外側でかつ前記外側層の内側に前記複数の補強パターンの内の第２補強パターンを配置し、前記第２補強パターンを、竿軸線に対して第２傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成してある点にあり、その作用効果は次の通りである。
【００１２】
〔作用効果〕
中間層部分においても、補強パターンのひとつである第２補強パターンを配置してあるので、前記した第１補強パターンと第２補強パターンとが竿尻端部において重なり合う状態で配置されることになり、お互いが相手側の補強効果を発揮することになり、補強パターンを単独で配置する場合に比べて剪断力に対する対抗力を高めることができる。
しかも、第２補強パターンを単独で配置するのではなく、第３メインパターンの竿尻側端部に配置して構成することにしてあるので、中側層部分での曲げモーメントに起因する竿軸線方向に沿った引張力に対する対抗力も高めることができる。
【００１３】
請求項４に係る発明の特徴構成は、前記外側層を、強化繊維群を竿の円周方向に沿って引き揃えたプリプレグを細幅のテープ状に裁断して構成したスリットテープを竿体の全長に相当する長さに亘って螺旋状に巻回して構成し、前記外側層の外側に前記複数の補強パターンの内の第３補強パターンを配置し、前記第３補強パターンを、竿軸線に対して第３傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成し、前記第３補強パターンの外側に前記複数の補強パターンの内の第４補強パターンを配置し、前記第４補強パターンを、竿の周方向に強化繊維群を引き揃えたプリプレグと柔軟性繊維をクロス状に編み込んだプリプレグとを重ね合わせて形成し、前記柔軟性繊維をクロス状に編み込んだプリプレグにおいては、前記柔軟性繊維を樹脂層表面より突出させて設けてある点にあり、その作用効果は次の通りである。
【００１４】
〔作用効果〕
外側層として、円周方向に強化繊維を配した細幅のスリットテープを施してあるので、そのスリットテープを巻き付ける際の緊張力によって先行して巻回されている第３メインパターン等に十分な巻締力を付与しながら巻回することができる。しかも、プリプレグシートのように竿体の全長に亘る面積を有するものを巻回するのではなく、細幅のものを巻回するだけであるので、皺が発生したり折れ曲りが生じたりするといったことが少ない。したがって、巻回作業中に空気を巻き込むことが少なく、焼成後にボイド等が発生することが少なくなる。
また、焼成後はテープ同士が接続されて一枚のメインパターンと同様に、一枚ものとしての機能を発揮することとなるので、円周方向に沿って配置された強化繊維によって竿体の断面を横広がるとなる楕円状に変形させる外力に対する対抗力を高めたものにできる。
また、第３補強パターンと第４補強パターンとを重ね合わせた構成は、一番外側に柔軟性繊維をクロス状に編み込んだプリプレグと、その内側に竿の周方向に強化繊維群を引き揃えたプリプレグとが重合されている第４補強パターンが配置されていることなり、更に、その第４補強パターンの内側に竿軸線に対して第３傾斜角に沿って引き揃え配置された強化繊維群を有するプリプレグと、前記プリプレグの強化繊維群と前記竿軸線に対して対称となる状態に引き揃え配置された強化繊維群を有するプリプレグとを重ね合わせて構成した第３補強パターンが配置された状態となっている。
この構成においては、相手側面に直接圧接する柔軟性繊維をクロス状に編み込んだプリプレグを通して第４補強パターンの外側補強パターンに作用する剪断力に対しては、第４補強パターンの内側補強パターンにおける竿軸線に対して所定傾斜角に沿って引き揃え配置された強化繊維群と竿軸線を挟んで対称に配置された強化繊維群とが対抗力を発揮して、受け止めることができる。
しかも、接触面を通して半径方向に働く荷重を受けて竿体が荷重に直交する方向に楕円状に広がろうとするその半径方向荷重に対しては、円周方向に配置された強化繊維が対抗力を発揮することになる。
そして、一番外側に柔軟性繊維をクロス状に編み込んだプリプレグを配置しているので、クロス状に配置した繊維が多方向からの接触荷重に対して対抗力を発揮するとともに、柔軟性繊維が樹脂層より突出する状態にあるので、柔軟性繊維で囲まれた部位に水分を溜める空間が形成されることになる。したがって、空間の形成によって相手側面との密着面積が少なくなっており、合わせ部に入り込んだ水分も前記空間に誘導されて溜まることになるので、竿先側竿体を竿尻側竿体より勢い良く引き出したとしても、合わせ部がきつく圧接して竿先側竿体を竿尻側竿体内に収納することができなくなる、所謂、固着現象を回避できることになる。
この結果、合わせ部分での塑性変形や強化繊維の剥離等が抑制できるとともに、固着現象も未然に回避することのできる腰の強い竿を提供できるに至った。
【００１５】
請求項５に係る発明の特徴構成は、強化繊維群を竿の円周方向に沿って引き揃えたプリプレグを竿体の全長に相当する長さの第１メインパターンを、強化繊維群を竿の軸線方向に沿って引き揃えたプリプレグを竿体の全長に相当する長さで前記第１メインパターンの円周方向に沿った幅より大きな幅の第２メインパターンの上に重ね合わせ配置するとともに、前記第１メインパターンの竿先端部の内周面側に請求項２記載の口巻き用補強パターンを重ね合わせ、前記第２メインパターンの竿尻端部の外周面に請求項２記載の第１補強パターンを重ね合わせて配置し、前記した口巻き補強パターン、前記第１メインパターン、前記第２メインパターン、前記第１補強パターンを一体的に重合した重合体を前記口巻き補強パターンが最内側に位置する順番でマンドレルに巻回する第１工程と、請求項３記載の第３メインパターンを第２メインパターンと第１補強パターンとに亘って巻回するとともにその巻回した第３メインパターンの竿尻端部分に請求項３記載の第２補強パターンを巻回し、前記第３メインパターンと前記第２補強パターンと一体的に重合した重合体を第３メインパターンが内側に位置する状態で巻回する第２工程と、請求項４記載の前記スリットテープを前記第３メインパターンと前記第２補強パターンとに亘って巻回する第３工程と、請求項４記載の第３補強パターンを前記第３メインパターンの竿尻端部に巻回する第４工程と、請求項４記載の第４補強パターンを前記第３補強パターンの竿尻端部に巻回する第５工程とからなる点にあり、その作用効果は次の通りである。
【００１６】
〔作用効果〕
前記した口巻き補強パターン、前記第１メインパターン、前記第２メインパターン、前記第１補強パターンを一体的に重合した重合体を前記口巻き補強パターンが最内側に位置する順番でマンドレルに巻回する第１工程と、前記第３メインパターンと前記第２補強パターンと一体的に重合した重合体を第３メインパターンが内側に位置する状態で巻回する第２工程とを備えている。
つまり、メインパターンと補強パターンとを施す工程においては、予めそのメインパターンと補強パターンとを重合体として巻回する方法を採っているので、両者の相対位置が巻回する過程で変化することはなく、メインパターンと補強パターンとの機能を初期通り発揮させることができる。
このように補強パターンの位置決めが確りできたものの上から、第３補強パターンと第４補強パターンを順次巻回していったとしても、第１、第２補強パターンとの相対位置を予定よりも異なった状態で施すことが少なく、補強効果を高めることができる。
【発明を実施するための最良の形態】
【００１７】
〔第１実施形態〕
８本組み等複数本の竿体を備えた振出式渓流竿Ａに使用されている構成について説明する。
ここでは、主として、四番竿から元上までの中竿に使用される合わせ部構造について説明する。引き出される側を竿先側竿体１とし、竿先側竿体１を保持する側を竿尻側竿体２として説明する。図１（イ）に示すように、竿先側竿体１を竿尻側竿体２内に出退自在に保持するとともに、図１（ロ）で示すように、竿先側竿体１を引き出した状態で、前記竿先側竿体１の竿尻端部外周面１Ａと竿尻側竿体２の竿先端部内周面２Ａとを互いに圧接する状態で嵌合させて、竿先側竿体１の伸長状態を保持すべく構成してある。ここに、互いに圧接する竿先端部内周面２Ａと竿尻端部外周面１Ａとで合わせ部Ｂを構成してある。
【００１８】
次に、竿先側竿体１または竿尻側竿体２の製造方法について説明する。まず、第１段は次ぎの通りである。図２（イ）に示すように、まず、メインパターンと補強パターン、口巻き補強パターンを用意する。第１メインパターン３Ａは、竿の円周方向に沿って引き揃えた炭素繊維等の強化繊維ｃ群に、エポキシ等の熱硬化性樹脂を含浸させて形成したプリプレグを竿体の全長に相当する長さで、かつ、１〜１．２プライ分の幅で裁断されて内側層を構成する。第２メインパターン３Ｂは、竿の軸線方向に沿って引き揃えた炭素繊維等の強化繊維ｃ群に、エポキシ等の熱硬化性樹脂を含浸させて形成したプリプレグを竿体の全長に相当する長さで、かつ、２〜２．２プライ分の幅で裁断されて内側層を構成する。
【００１９】
プリプレグとしては、強化繊維ｃとして炭素繊維を使用し、強化繊維ｃに含浸させる熱硬化性樹脂としてエポキシ樹脂が使用される。但し、強化繊維ｃとしては、ガラス繊維及びボロン繊維等が使用でき、熱硬化性樹脂としてはフェノール樹脂等が使用可能である。含浸させる樹脂としては、熱化塑性樹脂を使用できる。また、それらプリプレグの強化繊維ｃとしては、炭素繊維でメインパターンに２０〜６０トン／ｍｍ2の弾性率のもの、補強パターン５Ａ，５Ｂに１０〜２０トン／ｍｍ2の弾性率のものを使用することになる。
【００２０】
一方、口巻き補強パターン４と竿尻側に配置される補強パターン５とを説明する。図２に示すように、竿尻側の補強パターン５は、竿軸線Ｘに対して第１傾斜角θ1に沿って引き揃え配置された炭素繊維等からなる強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグとを重ね合わせ、竿体の竿尻端部の軸線方向長さに相当する長さに裁断されて補強部材として構成してある。
【００２１】
図２（イ）に示すように、口巻き補強パターン４は、竿軸線Ｘに対して第４傾斜角θ4に沿って引き揃え配置された炭素繊維等の強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグを重ね合わせ、竿体の竿先端部の軸線方向長さに相当する長さに裁断されて補強部材として構成してある。
【００２２】
上記した、第１、第２メインパターン３Ａ、３Ｂ、口巻き補強パターン４、竿尻側の補強パターン５のうちの第１補強パターン５Ａとを、巻回した状態で、口巻き補強パターン４が最も内側に位置するように、かつ、その外側に第１メインパターン３Ａ、第２メインパターン３Ｂ、外側に第１補強パターン５Ａが位置するように、重ね合わせて一体化し、この一体化したものを口巻き補強パターン４からマンドレル６に巻回する。
このように巻回したものでは、第１メインパターン３Ａと第２メインパターン３Ｂとで３プライ分の内側層を形成することになる。第１補強パターン５Ａはその内側層の外側に位置することになる。
【００２３】
第２段としては、図２（ロ）に示すように、上記した第２メインパターン３Ｂの上にさらに、第３メインパターン３Ｃと第２補強パターン５Ｂとを巻回する。つまり、第３メインパターン３Ｃは、第２メインパターン３Ｂと同様に、竿の軸線方向に沿って引き揃えた炭素繊維等の強化繊維ｃ群に、エポキシ等の熱硬化性樹脂を含浸させて形成したプリプレグを竿体の全長に相当する長さで、かつ、１〜１．２プライ分の幅で裁断されて中間層を構成する。
【００２４】
第２補強パターン５Ｂは、竿軸線Ｘに対して第２傾斜角θ2に沿って引き揃え配置された炭素繊維等からなる強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグとを重ね合わせ、竿体の竿尻端部の軸線方向長さに相当する長さに裁断されて補強部材を構成してある。
上記した第２補強パターン５Ｂを第３メインパターン３Ｃの竿尻端部に一体的に取り付けて、マンドレル６に既に巻回されている第２メインパターン３Ｂの上から巻回する。
【００２５】
次に、第３段としては、図２（ハ）に示すように、スリットテープ７を巻回する。スリットテープ７は、炭素繊維等の強化繊維ｃを円周方向に引き揃えたものにエポキシ等の熱硬化性樹脂を含浸させて形成したプリプレグを、竿の軸線方向に沿った幅を細幅に裁断して繋げたものである。このスリットテープ７を強化繊維ｃが竿の円周方向に向かう状態で設定して前記第３メインパターン３Ｃの上から竿体の全長に亘って螺旋状に巻回していく。
【００２６】
第４段としては、図３（ニ）に示すように、第３補強パターン５Ｃを巻回する。ここに、第３補強パターン５Ｃは、竿軸線Ｘに対して第２傾斜角θ3に沿って引き揃え配置された炭素繊維等からなる強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグとを重ね合わせ、竿体の竿尻端部の軸線方向長さに相当する長さに裁断されて補強部材として構成してある。
そして、スリットテープ７を巻回した上から竿尻端部に第３補強パターン５Ｃを巻回する。
【００２７】
第５段として、図３（ホ）に示すように、第３補強パターン５Ｃの上から更に第４補強パターン５Ｄを巻回する。第４補強パターン５Ｄは、炭素繊維等の強化繊維ｃを円周方向に引き揃えたものにエポキシ等の熱硬化性樹脂を含浸させて形成したプリプレグ５ｄに、柔軟性の高い繊維ｃをクロス組したものにエポキシ等の熱硬化性樹脂を含浸させて形成したプリプレグ５ｃを重ね合わせ、炭素繊維等を円周方向に引き揃えたプリプレグ５ｄが内側となるように、第３補強パターン５Ｃの上から巻回する。
図３（へ）に示すように、第４補強パターン５Ｄの軸線方向に沿った長さは第３補強パターン５Ｃよりは短く、第３補強パターン５Ｃの竿先側に位置するように第４補強パターン５Ｄを巻回する。これによって、第３補強パターン５Ｃの竿尻側部分は表出することになる。
【００２８】
ここに、第３補強パターン５Ｃと第４補強パターン５Ｄとの配置状態について説明する。つまり、図１及び図３（ヘ）に示すように、内側に位置する第３補強パターン５Ｃは、合わせ部Ｂの長さに相当する長さで配置される。これに対して、第４補強パターン５Ｄについては、第３補強パターン５Ｃより短く、かつ、竿先側に寄った位置に配置されている。このように、第３補強パターン５Ｃを合わせ部Ｂに相当する長さで設置していても、合わせ部Ｂの長さよりも短くしてあるので、竿先側竿体１を竿尻側竿体２より引き出し操作した場合に、第３補強パターン５Ｃと第４補強パターン５Ｄの竿先端が竿尻側竿体２の竿先端よりは突出することはなく、美観の向上を図ることができる。
しかも、第４補強パターン５Ｄを合わせ部Ｂの竿先側の肩部分に設けてあるので、この部分の強度を向上させることができ、竿先側竿体１の合わせ部Ｂにおける竿先側端近傍に発生する「際折れ」と言われている竿の折損を回避できる。
【００２９】
第４補強パターン５Ｄにおける竿体の表側に位置するプリプレグ５ｃについて詳述すると、図６（イ）に示すように、プリプレグ５ｃでは柔軟性の高い繊維をクロス網して、繊維を亀の子状に配置した形状を呈している。図６（ロ）に示すように、繊維に含浸させた樹脂は焼成後研磨加工を施して削り取っているので、繊維だけが表面に表出した状態となっており、亀の子状の凹部が形成されている。ここで使用されている柔軟性の高い繊維としては、ナイロン、ポリエステル等の樹脂繊維を使用している。
したがって、このプリプレグ５ｃが合わせ部Ｂの表面に位置して、相手側の合わせ部Ｂを構成するプリプレグと圧接する状態となっても、亀の子状の凹部の存在によって、水分が介在しても水分は亀の子状の凹部に溜まるだけで圧接状態を強化する方向には作用せず、合わせ部の固着状態が緩和される。
【００３０】
一方、竿先側には、第２口巻き補強パターン８を巻回する。この第２口巻き補強パターン８は、炭素繊維等の強化繊維ｃ群を円周方向に引き揃えたものにエポキシ等の熱硬化性樹脂を含浸させて構成したものであり、竿先端部の軸線方向長さに相当する長さに裁断して構成したものである。
【００３１】
以上によって、プリプレグの巻回を終了し、次に、図３（ト）に示すように、セロファンテープ等の成形テープ９を螺旋状に巻回することによってプリプレグを巻き締め、この状態のものを焼成炉で焼成処理する。
この後は、焼成した後にマンドレル６を脱芯し、成形テープ９を剥離し、所定長さに竿材を裁断して所望の竿体を形成し、この後竿体表面に研磨処理を施して釣り竿用の竿体が出来上がる。
【００３２】
以上の製作工程は基本的なものであるが、これから記載するように、種々の方法が選択できる。第２段以降の工程では第４補強パターン５Ｄを巻回する第５段の工程を維持すれば、いずれの工程をも適宜選択して採用することが可能である。
【００３３】
上記方法によって製作された竿体を四番竿〜元上に適用した８本組渓流竿の合わせ部のテストを行った。そのテスト結果が次ぎのものである。
最初は、図４（イ）に示すように、竿保持台１０に取り付けた上記した８本組渓流竿Ａを伸長状態で取り付けて、穂先竿Ａａの先端に錘１２を吊り下げ、渓流竿Ａの撓み度（基準位置からの錘の高さ位置Ｈ）を測定した。その結果が次ぎの表１〜表６に示すものである。
【００３４】
ここに、表１〜表３は、穂先竿Ａａの先端の基準位置からの高さＨを測定したものであるが、竿保持台１０には竿ホルダー１０Ａが紙面奥行き方向に３個並設されており、それらの個々に合わせ部Ｂの強化繊維ｃの配列方向が異なるものを組み合わせて測定し、竿ホルダー１０Ａに個体差のないことを確かめた。下記のように、一順目、ニ順目、三順目として、３個の竿ホルダー１０Ａに装着する竿を異なるものに取り替えてテストを行った。
テストする渓流竿Ａの合わせ部Ｂに使用される補強パターン５の強化繊維ｃの配列方向としては、下記の表で示すように、竿軸線方向を挟んで±４５°づつ傾斜させているプリプレグを重ね合わせたものを「９０°」として表示し、竿軸線方向を挟んで±７５°づつ傾斜させているプリプレグを重ね合わせたものを「１５０°」として表示し、強化繊維ｃを周方向に沿って引き揃えてあるものを「周方向」として表示して、下記のように測定結果を表わしている。
また、表１〜３までにおいては、「９０°(ｉ)」として(ｉ)を付してあり、これは竿の自重が次ぎのようなものを使用してテストを行ったことを示している。
９０°(ｉ)＝３０２．３ｇ、１５０°(ｉ)＝２９９．９ｇ、周方向＝３０２．３ｇ
表１におけるＱ1＝４５°と記載されている部分は、図４（イ）に示すように、竿Ａを竿ホルダー１０Ａに装着した状態で竿ホルダー１０Ａの上向き傾斜角Ｑ1を４５°に設定した状態を示す。また、Ｑ1＝０°と記載されている部分は、図４（ロ）に示すように、竿Ａを竿ホルダー１０Ａに装着した状態で竿ホルダー１０Ａの上向き傾斜角Ｑ1を０°に設定した状態を示す。
【表１】
2006288345.tif 000003
【００３５】
次に、「９０°(ｉ)」、「１５０°(ｉ)」、「周方向」で特定される竿を、表１で記載した結果を得る場合とは異なる竿ホルダー１０Ａに取り付けてテストを行った。その結果が表２に示すものである。
【表２】
2006288345.tif 000004
【００３６】
次に、「９０°(ｉ)」、「１５０°(ｉ)」、「周方向」で特定される竿を、表１、表２で記載した結果を得る場合とは異なる竿ホルダー１０Ａに取り付けてテストを行った。その結果が表３に示すものである。
【表３】
2006288345.tif 000005
【００３７】
以上、表１〜３に記載したテスト結果を評価すると、
つまり、竿ホルダー１０Ａの個体差の影響はなく、結果としては、「９０°(ｉ)」の高さＨが一番高く、「周方向」の高さＨが一番低い。このことは、「９０°(ｉ)」で合わせ部Ｂでの圧接状態に錘荷重を掛けても変形等が少ないことを示していると考えられ、「周方向」で合わせ部Ｂでの変形等が多く現れていると考えられる。
【表４】
2006288345.tif 000006
【表５】
2006288345.tif 000007
【００３８】
上記した表４，５のテスト結果は、竿の個体差が測定結果に及ぼす影響を調べたものである。テストする渓流竿Ａの合わせ部Ｂに使用される補強パターン５の強化繊維ｃの配列方向としては、上記の表で示すように、竿軸線方向を挟んで±４５°づつ傾斜させているプリプレグを重ね合わせたものを「９０°」として表示し、竿軸線方向を挟んで±７５°づつ傾斜させているプリプレグを重ね合わせたものを「１５０°」として表示し、強化繊維ｃを周方向に沿って引き揃えてあるものを「周方向」として表示してあるのは表１〜３までのものと同様のものであり、下記のように測定結果を表わしている。
また、表４，５においては、「９０°（１５０°）(ii)」「９０°（１５０°）(iii)」として(ii)、(iii)を付してあり、これは竿の自重が次ぎのようなものを使用してテストを行ったことを示している。
９０°(ii)＝２９９．６ｇ、９０°(iii)＝３０１．３ｇ
１５０°(ii)＝３００．８ｇ、１５０°(iii)＝３０２．０ｇ
周方向＝３０１．６ｇ
表４，５におけるＱ1＝４５°又はＱ1＝０°と記載されている部分は、竿Ａを竿ホルダー１０Ａに装着した状態で竿ホルダー１０Ａの上向き傾斜角Ｑ1を４５°又は０°に設定した状態を示す。
【００３９】
次に、負荷を一旦掛けた状態からその負荷を除去した状態での穂先の高さＨの変化及び塑性変形度合いを計測し、合わせ部Ｂの適合性を判断する。ここで、表６に示す、「９０°(ｉ)」、「１５０°(ｉ)」とは、表１〜３で説明したものと同じ竿の状態を示しており、竿軸線方向を挟んで±４５°づつ傾斜させているプリプレグを重ね合わせたものを「９０°」として表示し、竿軸線方向を挟んで±７５°づつ傾斜させているプリプレグを重ね合わせたものを「１５０°」として表示してある。
尚、ここでは、周方向にのみ強化繊維を配置してある従来品のテスト結果を併記してある。従来品は、周方向（従来品）と表記してある。一方、(ｉ)については、これは竿の自重が次ぎのようなものを使用してテストを行ったことを示している。
９０°(ｉ)＝３０２．３ｇ、１５０°(ｉ)＝２９９．９ｇ
【００４０】
テストに使用する機械は、前記した機械と同じものであり、図５に示すように、支持台１０の竿ホルダー１０Ａにテスト用の渓流竿Ａを取り付け、穂先竿Ａａの先端を基準位置に取付固定して、竿ホルダー１０Ａを１２Ｎ（ニュートン）、１４Ｎ、１６Ｎ、１８Ｎで持ち上げ、その時の釣上角度Ｑ2を測定したものである。ここでは、図４（ロ）に示めすように、穂先竿Ａａの無負荷状態での初期穂先高さＨを予め測定しておいて、その後図５に示す状態で上記したような荷重を１分間掛けて、再度、図４（ロ）に示めすように、無負荷状態での穂先竿Ａａの先端高さを測定し、合わせ部Ｂでの変形度合い（竿自体の塑性変形度合い）を検討する。ここに、負荷を掛ける前の無負荷状態での初期穂先高さＨは表６に示すように次ぎの通りである。
１５０°(ｉ)＝５２５ｍｍ、９０°(ｉ)＝５７０ｍｍ、周方向（従来品）＝５１５ｍｍ
【表６】
2006288345.tif 000008
【００４１】
上記したテスト結果を考察してみると、
（１）  総じて、塑性変形は確認できなかった（塑性変形が現れているか否かを手早く知る方法としては、引き伸ばした渓流竿Ａを平地に載置した状態で転がす方法を採ることができる。塑性変形が現出していれば、転がりが円滑さを欠くところから塑性変形の度合いを見て採ることができる）。
（２）  上記テスト結果では、穂先竿Ａａの先端の撓み量が「９０°(ｉ)」において変化しているが、これはテスト後に検査して分かったことであるが、三番竿と四番竿の合わせ部Ｂの補強パターンでは、強化繊維ｃが互いに９０°に交差する方向には設定されていなかったことが検出され、このことが原因になっていると思われる。
（３）  「９０°(ｉ)」と「１５０°(ｉ)」とを比較した場合に、釣上角度Q2の違いにより「９０°(ｉ)」の方が小さな釣上角度になっている。これによって、「９０°(ｉ)」の方が曲がり難く、反発力が強いものとして評価できる。これは、竿自体の腰の強さを明示していると考えられる。この点については、表１〜３でも示すように、穂先竿Ａａに錘１２を吊り下げた状態での穂先先端の撓み量を比較すると、「９０°(ｉ)」が一番小さくなっていることからも裏付けることができる。
（４）  テスト後の外観状態を目視した状態では、「９０°(ｉ)」「１５０°(ｉ)」ではクラック等の欠陥は生じてなかったが、「従来品」では。釣上角度Q2が大きくなる程クラックの発生が顕著になることが分かる。
（５）  「周方向（従来品）」のものと、「９０°(ｉ)」「１５０°(ｉ)」とを比較すると、「９０°(ｉ)」「１５０°(ｉ)」の塑性変形度合いが極めて少ない点で、合わせ部Ｂでの変形が抑制されていることが認知できる。
【００４２】
以上、ニ種類のテストを行った結果を評価すると、「９０°」又は「１５０°」のように強化繊維ｃの引き揃え方向を竿軸線Ｘに対して傾斜させる方向に配置する構成によって、竿軸線Ｘに対して傾斜する方向から作用する荷重に対しても対抗力を発揮できるので、樹脂自体の塑性変形、強化繊維同士の離隔等を阻止することができるものと考えられる。
【００４３】
〔別実施形態〕
（１）  本発明の構成は、振出竿式の渓流竿、鮎竿等だけでなく、並継式、又は、インロー継ぎ式釣り竿にも適用可能である。
（２）  補強プリプレグ５としては、竿尻端部における中間層だけでなく、竿先端部の中間層に設けてもよい。
【図面の簡単な説明】
【００４４】
【図１】（イ）は竿先側竿体を竿尻側竿体から引き出す途中の状態を示す縦断側面図、（ロ）は竿先側竿体を竿尻側竿体から引き出した状態を示す縦断側面図
【図２】（イ）は第１、第２メインパターンと口巻き補強パターン、及び、竿尻側の第１補強パターンとをマンドレルに巻き付ける前の状態を示す斜視図、（ロ）は第３メインパターンと第２補強パターンとを既に巻回されている第２メインパターンの上に巻き付ける前の状態を示す斜視図、（ハ）はスリットテープを既に巻回されている第３メインパターンの上に巻き付ける状態を示す斜視図
【図３】（ニ）は第３補強パターンを巻きつける前の状態を示す斜視図、（ホ）は第３補強パターンを巻きつけ、第４補強パターンと口巻き補強パターンとを巻き付ける前の状態を示す斜視図、（ヘ）は第４補強パターンと口巻き補強パターンとを巻回した状態を示す斜視図、（ト）は成形テープを巻回する状態を示す斜視図
【図４】（イ）は表１〜３に記載したテスト結果を出すための試験設備を示し、錘を穂先竿に吊り下げた状態を示す側面図、（ロ）は表１〜３に記載したテスト結果を出すための試験設備を示し、無負荷状態での測定状況を示す側面図
【図５】表６に記載したテスト結果を出すための試験設備を示す側面図
【図６】（イ）は第４補強パターンの亀の子状に配置された強化繊維の配置構造を示す正面図、（ロ）は第４補強パターンの研削処理後の状態を示す縦断側面図
【符号の説明】
【００４５】
１                      竿先側竿体
１Ａ                    竿尻端部外周面
２                      竿尻側竿体
２Ａ                    竿先端部内周面
３Ａ                    第１メインパターン
３Ｂ                    第２メインパターン
３Ｃ                    第３メインパターン
４                      口巻き補強パターン
５                      補強パターン
５Ａ                    第１補強パターン
５Ｂ                    第２補強パターン
５Ｃ                    第３補強パターン
５Ｄ                    第４補強パターン
７                      スリットテープ
θ1                     第１傾斜角
θ2                     第２傾斜角
θ3                     第３傾斜角
ｃ                      強化繊維
Ｘ                      竿軸線
【図１】
2006288345.tif 000009
【図２】
2006288345.tif 000010
【図３】
2006288345.tif 000011
【図４】
2006288345.tif 000012
【図５】
2006288345.tif 000013
【図６】
2006288345.tif 000014